(57)【特許請求の範囲】
【請求項１】
流体中に配設され、供給される流体を噴射して周囲の流体を流動させる流体流動装置であって、
ポンプから供給される流体を噴射する第一ノズルと、前記第一ノズルに隣接して配設され前記第一ノズルから噴射される流体が流れる第一流路を備える第一筒体と、前記第一筒体に隣接して配設され前記第一筒体から噴射される流体が流れる第二流路を備える第二筒体とを備え、
前記第一筒体は、前記第一ノズルに臨む開口部を第一吸入口とし、前記第二筒体に臨む開口部を第一噴射口として備え、
前記第二筒体は、前記第一筒体に臨む開口部を第二吸入口とし、他端の開口部を第二噴射口として備えるものであり、
前記第一筒体は、前記第一吸入口が前記第一ノズルと第一所定距離だけ離間するように配設されるとともに、前記第二筒体は、前記第二吸入口が前記第一噴射口と第二所定距離だけ離間するように配設されており、
前記第二流路内には、前記ポンプから供給される流体を噴射する第二ノズルが配設されている
ことを特徴とする流体流動装置。
【請求項２】
請求項１に記載の流体流動装置であって、
前記第二流路内には、複数の前記第二ノズルが配設されている
ことを特徴とする流体流動装置。
【請求項３】
請求項１または２に記載の流体流動装置であって、
前記第一ノズルと前記第二ノズルはポンプを備えるタンクに連通しており、
前記ポンプから吐出された流体は、前記タンクを通じて前記第一ノズルおよび前記第二ノズルに供給される
ことを特徴とする流体流動装置。
【請求項４】
請求項１〜３のいずれか一項に記載の流体流動装置であって、
前記第一筒体と前記第二筒体との間に、前記第一筒体から噴射される流体が流れる第三流路を備える第三筒体を備え、
前記第三筒体は、前記第一筒体に臨む開口部を第三吸入口とし、前記第二筒体に臨む開口部を第三噴射口として備えるものであり、
前記第三筒体は、前記第三吸入口が前記第一ノズルと第三所定距離だけ離間するように配設されるとともに、前記第三噴射口が前記第二吸入口と第四所定距離だけ離間するように配設されている
ことを特徴とする流体流動装置。
【請求項５】
請求項４に記載の流体流動装置であって、
前記第三流路内には、前記ポンプから供給される流体を噴射する第三ノズルが配設されている
ことを特徴とする流体流動装置。
【請求項６】
請求項１〜４のいずれか一項に記載の流体流動装置であって、
前記第一ノズルの内径と、前記第一流路の内径の比が、１：１０である
ことを特徴とする流体流動装置。
【請求項７】
請求項１〜４のいずれか一項に記載の流体流動装置であって、
前記第二ノズルの噴射量は、前記第二流路の流量の１０分の１〜２０分の１である
ことを特徴とする流体流動装置。
【発明の詳細な説明】
【技術分野】
【０００１】
本発明は、閉鎖性水域、排水槽、下水処理場およびトンネル等において流体を撹拌し環境を改善する流体流動装置に関する。
【背景技術】
【０００２】
ダムや港湾といった閉鎖水域では、酸素を含んだ表層水と底層水との間に対流が起こらないと、底層に有機物質が蓄積し貧酸素水塊等が発生する。従来、このような水域では、停滞した水域に酸素を含んだ水を供給して流動を発生させる流体流動装置が用いられている。このような流体流動装置には、例えば、特許文献１に記載されるように、水が流れる筒体と、筒体の中心に配設され酸素を含んだ水を筒体の内部に噴射するノズルと、筒体の内部に配設される整流板とを備えるものがある。この特許文献１に記載の流体流動装置によれば、ノズルから噴射された水が整流板に衝突することで渦巻状の乱流が発生し、酸素を含んだ水と底層水とが混合撹拌される。しかしながら、このような装置は、使用環境によっては異物が筒体内に吸い込まれて詰まってしまい、装置が作動できなくなるおそれがある。
【０００３】
そこで、近年、図１０に示すように、端部９０ａ，ｂを備える中空形状の筒体９０と、筒体９０の内部に形成される流路９０ｃと、流路９０ｃの壁面に沿うように配設される複数のノズル９２ａ，ｂとを備える流体流動装置１００が開発されつつある。このような流体流動装置１００によれば、ノズル９２ａ，ｂから酸素を含んだ水が噴射される際、流路９０ｃ内に負圧が発生するため、周囲の水が端部９０ａから流路９０ｃに流入し、酸素を含んだ水とともに流路９０ｃを流通した後、端部９０ｂから流出される。この流体流動装置１００は、筒体９０の内部が空洞であるため、異物が詰まるおそれは低減される。
【先行技術文献】
【特許文献】
【０００４】
【特許文献１】特開２００６−８３５号公報
【発明の概要】
【発明が解決しようとする課題】
【０００５】
しかしながら、図１０に記載される流体流動装置１００は、ノズルを流路の端部に配設し負圧を用いて端部９０ｂから水を噴射するものでしかないため、特許文献１に記載の発明のようにノズルを流路の中心に配設する場合と比較すると、端部９０ｂから噴射される水量は少なくなってしまう。
なお、このような問題はトンネルや工事現場のような閉鎖空間で使用される流体流動装置においても同様に生じる。
【０００６】
本発明は、上記従来技術の問題を解決するためになされたものであって、異物が詰まる恐れを低減するとともに、効率よく流体を噴射することができる流体流動装置を提供することを課題とする。
【課題を解決するための手段】
【０００７】
本発明の第一態様は、流体中に配設され、供給される流体を噴射して周囲の流体を流動させる流体流動装置であって、ポンプから供給される流体を噴射する第一ノズルと、前記第一ノズルに隣接して配設され前記第一ノズルから噴射される流体が流れる第一流路を備える第一筒体と、前記第一筒体に隣接して配設され前記第一筒体から噴射される流体が流れる第二流路を備える第二筒体とを備え、前記第一筒体は、前記第一ノズルに臨む開口部を第一吸入口とし、前記第二筒体に臨む開口部を第一噴射口として備え、前記第二筒体は、前記第一筒体に臨む開口部を第二吸入口とし、他端の開口部を第二噴射口として備えるものであり、前記第一筒体は、前記第一吸入口が前記第一ノズルと第一所定距離だけ離間するように配設されるとともに、前記第二筒体は、前記第二吸入口が前記第一噴射口と第二所定距離だけ離間するように配設されており、前記第二流路内には、前記ポンプから供給される流体を噴射する第二ノズルが配設されていることを特徴とする。
【０００８】
同構成では、第一流路内に、第一ノズルから噴射される流体の流れと流体の流れによる負圧が発生するため、周囲の流体が第一吸入口から第一流路内に巻き込まれて流入してくる。このため、第一流路内を流れる流体の流量は第一ノズルから噴射された流体の流量よりも多くなる。同様に、第二流路内にも、第一筒体から噴射される流体の流れと流体の流れによる負圧が発生するため、周囲の流体が第二吸入口から第二流路内に巻き込まれて流入してくる。このため、第二流路内を流れる流体の流量は第一噴射口から噴射された流体の流量よりも多くなる。この際、第一筒体が配設されていることにより、第二筒体に流入する流体の流れが整流されるため、第二流路内の流量をより好適に増量することができる。
【０００９】
このように構成された同構成によれば、第一ノズルを第一筒体の軸心に沿うように配設することができるため、第一ノズルから第一流路の中心に向けて流体を噴射することができる。したがって、第一ノズルを第一流路の端部に配設した場合よりも、強い勢いの流れを発生させることができる。また、この第一ノズルの配設箇所は、第一流路の内部ではなく第一流路から第一所定距離だけ離間しているため、第一流路に異物が詰まるおそれを低減することができる。
したがって、異物が詰まる恐れを低減することができるとともに、効率よく流体を噴射することができるようになる。
【００１０】
またさらに、第二流路内に第二ノズルが配設されているため、第二ノズルが配設されていない場合と比較すると、第二流路内により大きな負圧を発生させることができる。したがって、より多くの流体を第二流路内に巻き込むことができるようになる。
【００１１】
本発明の第二態様は、第一態様にかかる流体流動装置であって、前記第二流路内には、複数の前記第二ノズルが配設されていることを特徴とする。
【００１２】
同構成によれば、第二流路内を流れる流体の流速を速くすることができる。このため、第二筒体内により大きな負圧を発生させることができ、第二流路内に巻き込む周囲の流体の量をより好適に増量することができる。
【００１３】
本発明の第三態様は、第一態様または第二態様にかかる流体流動装置であって、前記第一ノズルと前記第二ノズルはポンプを備えるタンクに連通しており、前記ポンプから吐出された流体は、前記タンクを通じて前記第一ノズルおよび前記第二ノズルに供給されることを特徴とする。
【００１４】
本発明の第四態様は、第一態様〜第三態様のいずれかにかかる流体流動装置であって、前記第一筒体と前記第二筒体との間に、前記第一筒体から噴射される流体が流れる第三流路を備える第三筒体を備え、前記第三筒体は、前記第一筒体に臨む開口部を第三吸入口とし、前記第二筒体に臨む開口部を第三噴射口として備えるものであり、前記第三筒体は、前記第三吸入口が前記第一ノズルと第三所定距離だけ離間するように配設されるとともに、前記第三噴射口が前記第二吸入口と第四所定距離だけ離間するように配設されていることを特徴とする。
【００１５】
同構成によれば、第一噴射口から噴射された流体が第三吸入口に流入する際、周囲の流体を巻き込むため、第三流路を流れる流体の流量を、第一流路を流れる流体の流量よりも増量することができる。また、第三噴射口から噴射された流体が第二吸入口に流入する際も同様に、周囲の流体を巻き込むため、第二流路を流れる流体の流量を、第三流路を流れる流体の流量よりも増量することができる。このように、同構成によれば、周囲の流体を巻き込み流量を増量する箇所を三カ所設けることができるため、より多くの流体を巻き込むことができる。したがって、より効率よく流体を第二噴射口から噴射させることができる。
【００１６】
本発明の第五態様は、第四態様にかかる流体流動装置であって、前記第三流路内には、前記ポンプから供給される流体を噴射する第三ノズルが配設されていることを特徴とする。
【００１７】
同構成によれば、第三ノズルから流体が噴射されることにより、第三流路に負圧が発生するため、第二噴射口から噴射された流体が第三吸入口に流入する際、より多くの流体を巻き込むことができる。このため、より効率よく流体を第二噴射口から噴射させることができる。
【００１８】
本発明の第六態様は、第一態様〜第四態様のいずれかにかかる流体流動装置であって、前記第一ノズルの内径と、前記第一流路の内径の比が、１：１０であることを特徴とする。
【００１９】
同構成によれば、第一筒体を流れる流体の流量をより好適に増量することができる。
【００２０】
本発明の第七態様は、第一態様〜第四態様のいずれかにかかる流体流動装置であって、前記第二ノズルの噴射量は、前記第二流路の流量の１０分の１〜２０分の１であることを特徴とする。
【００２１】
同構成によれば、第二筒体を流れる流体の流量をより好適に増量することができる。
【発明の効果】
【００２２】
本発明によれば、異物が詰まる恐れを低減するとともに、効率よく流体を噴射することができる流体流動装置を提供することができる。
【図面の簡単な説明】
【００２３】
【図１】本発明の一実施形態にかかる流体流動装置の全体構成図。
【図２】（ａ）は図１におけるＸ’−Ｘ断面図、（ｂ）は図１におけるＹ’−Ｙ断面図。
【図３】同実施形態にかかる第一筒体の長さ、第一ノズルと第一噴射口の距離、第一ノズルと第二噴射口の距離および第二噴射口の風量の関係を示す表。
【図４】同実施形態にかかる流体流動装置の概略図。
【図５】本発明の他の実施形態にかかる流体流動装置の全体構成図。
【図６】本発明の他の実施形態にかかる流体流動装置の全体構成図。
【図７】本発明の他の実施形態にかかる流体流動装置の全体構成図。
【図８】本発明の他の実施形態にかかる流体流動装置の全体構成図。
【図９】本発明の他の実施形態にかかる流体流動装置の全体構成図。
【図１０】従来の流体流動装置の全体構成図。
【発明を実施するための形態】
【００２４】
以下、本発明を具体化した一実施形態を図１〜図４に基づいて説明する。まず、図１を参照しながら、本実施形態にかかる流体流動装置１の全体構成について説明する。なお、本実施形態では、水質改善を目的として、ダムや港湾等の閉鎖性水域に配設される流体流動装置１について説明する。
【００２５】
同図１に示されるように、流体流動装置１は、水底に設置されるタンク１１と、タンク１１に加圧水を供給するポンプ１０と、タンク１１に連通する第一連通管２１と、第一連通管２１に連通する第一ノズル２０と、第一ノズル２０に隣接して設けられる第一筒体３０と、第一筒体３０に隣接して設けられる第二筒体４０とを備えている。
第一筒体３０と第二筒体４０は、その軸線が第一ノズル２０から噴射される加圧水の噴射方向に沿うように配設されている。また、第一ノズル２０の内径と、第一筒体３０の内径の比は、１：１０となるように形成されている。
【００２６】
第一筒体３０は、両端が開口する中空形状をなし、第一ノズル２０に臨む開口部を第一吸入口３０ａ、第二筒体４０に臨む開口部を第一噴射口３０ｂとして備え、内部には加圧水が流れる第一流路３０ｃが形成されている。
第二筒体４０は、両端が開口する中空形状をなし、第一筒体３０に臨む開口部を第二吸入口４０ａ、他端を第二噴射口４０ｂとして備え、内部には加圧水が流れる第二流路４０ｃが形成されている。
【００２７】
第二筒体４０の第二吸入口４０ａには、その全周を覆うように、タンク１１と連通する第二連通管４１が形成されている。また、第二筒体４０には、この第二連通管４１に連通して、第二流路４０ｃに加圧水を噴射する２本の第二ノズル４２ａ，ｂが設けられている。この第二ノズル４２ａ，ｂは、第二筒体４０の軸線に対して所定の傾斜角度を有すべく設けられている。
【００２８】
第一筒体３０は、第一ノズル２０から第一所定距離Ｄ１だけ離間するように配設されている。第二筒体４０は、第一筒体３０から第二所定距離Ｄ２だけ離間するように配設されている。所定距離Ｄ１は２００〜８００ｍｍの範囲にあるのが好ましく、３００〜６００ｍｍの範囲にあるのがより好ましい。また、所定距離Ｄ２は２００〜１２００ｍｍの範囲にあるのが好ましく、３００〜１０００ｍｍの範囲にあるのがより好ましい。
本実施形態では、第一ノズル２０と第一噴射口３０ｂとの距離は７００〜８００ｍｍ、第一距離Ｄ１は３００ｍｍ、第二距離Ｄ２も３００ｍｍとなるように構成されている。
【００２９】
次に、図２（ａ）および（ｂ）を参照しながら、第二筒体４０、第二連通管４１および第二ノズル４２の構成について詳細に説明する。
図２（ａ）に、図１のＸ’−Ｘ断面の模式図を示す。同図２（ａ）に示すように、第二連通管４１は、第二筒体４０の開口部をなす第二吸入口４０ａの全周にわたって形成されている。また、第二連通管４１に連通して、第二ノズル４２ａ，４２ｂが配設されている。このように形成された流体流動装置１によれば、タンク１１から供給された加圧水は、第二連通管４１を通じて第二ノズル４２ａ，４２ｂに供給された後、第二ノズル４２ａ，４２ｂからそれぞれ噴射される。
【００３０】
図２（ｂ）に、図１のＹ’−Ｙ断面の模式図を示す。第二流路４０ｃを流れる加圧水の流量を流量Ａ、第二ノズル４２ａから噴射される加圧水の噴射を噴射量ａ１、第二ノズル４２ｂから噴射される加圧水の噴射量をａ２とした場合、本実施形態にかかる流体流動装置１では、噴射量ａ１＋ａ２が流量Ａの２０分の１〜１０分の１となるように第二流路４０ｃおよび第二ノズル４２ａ，ｂの内径を設定している。
【００３１】
本実施形態にかかる流体流動装置１によれば、ポンプ１０に取水管（図示せず）を通じて酸素を多く含有する表層水が供給される。ポンプ１０はこの表層水を加圧して加圧水としタンク１１に送る。この加圧水は、タンク１１と第一連通管２１を通じて連通している第一ノズル２０に送られる。第一ノズル２０は、タンク１１から供給された加圧水を第一筒体３０に向けて噴射する。
【００３２】
図３に、第一筒体３０の長さ、第一ノズル２０と第一噴射口３０ｂとの距離Ｄ１および第一ノズル２０と第二噴射口４０ｂとの距離を変化させて、第一ノズル２０から平均２００ｍ／ｓ（平均３．８ｍ３）の風を噴射した場合における第二噴射口４０ｂの風量を測定した結果を示す。本測定では、風量が最大となった条件下で、第一筒体３０を省略した場合における第二噴射口４０ｂの風量も測定した。
なお、本測定では、ポンプ１０に代えてコンプレッサー（図示せず）を用いて第一ノズル２０に風を送り、測定を行った。
【００３３】
同図３に示すように、第二噴射口４０ｂの風量は最大１２４．３ｍ３／ｍｉｎであった。このとき、第一ノズル２０の噴射量は３．８１ｍ３／ｍｉｎ（図示せず）であったため、第二噴射口４０ｂの風量は第一ノズル２０の噴射量の３２．５倍となった。
【００３４】
また、同図３に示すように、第一筒体３０を省略すると、第二噴射口４０ｂの風量は減少した。すなわち、第一筒体３０を設けることにより、第二噴射口４０ｂの風量は増加することが明らかとなった。この測定では、第一筒体３０が設けられた場合は第一筒体３０を省略した場合と比較して、第二噴射口４０ｂの風量は約１０％増加した。
これは、第二吸入口４０ａの周囲の空気が第一噴射口３０ｂから噴射される気流に巻き込まれて第二流路４０ｃに流入する際、第一筒体３０にこの気流を整流する効果があるためと考えられる。
なお、図３に示す測定は空気を用いて行ったが、加圧水を用いて行った場合であっても、同様の傾向を示すと考えられる。
【００３５】
上述したように本実施形態における流体流動装置１は、ダムや港湾等の閉鎖水域に設置される。そこで、風量を水量に換算すると、風速２０２ｍ／ｓ、風量３．８１ｍ３／ｍｉｎの吐出量は、０．７６ｍ３／ｍｉｎの吐出量を持つポンプ１０に相当する。
以上の測定結果および算出結果をもとに、本実施形態における吐出量０．７６ｍ３／ｍｉｎのポンプ１０を備える流体流動装置１の最適な構成を図４に示す。
【００３６】
同図４に示すように、本実施形態にかかる流体流動装置１は、第一ノズル２０と第一吸入口３０ａとの距離Ｄ１は３００ｍｍ、第一筒体３０の軸方向の長さは５００ｍｍ、第一噴射口３０ｂと第二吸入口４０ａとの距離Ｄ２は３００ｍｍ、第二筒体４０の軸方向の長さは２０００ｍｍ、第一ノズル２０と第二噴射口４０ｂとの間の距離は３１００ｍｍとすることが好ましい。なお、この場合、第一ノズル２０の内径は２０ｍｍ、第一筒体３０の内径は２００ｍｍ、第二筒体４０の内径は６００ｍｍとすることが好ましい。
このような構成を備える流体流動装置１によれば、第一ノズル２０から噴射された加圧水を第一筒体３０および第二筒体４０を通じて効率よく増幅することができる。
【００３７】
上述した本実施形態によれば、以下に記載する作用効果を奏することができる。
（１）本実施形態によれば、第一流路３０ｃに第一ノズル２０から噴射される加圧水の流れと加圧水の流れによる負圧が発生するため、第一流路３０ｃには周囲の水が巻き込まれて流入してくる。したがって、第一流路３０ｃを流れる加圧水の流量を第一ノズル２０から噴射された加圧水の流量よりも増量することができる。同様に、第二流路４０ｃにも第一噴射口３０ｂから噴射される加圧水の流れと加圧水の流れによる負圧が発生するため、第二筒体４０には周囲の水が第二吸入口４０ａから巻き込まれて流入してくる。このため、第二流路４０ｃを流れる加圧水の流量を第一噴射口３０ｂから噴射された加圧水の流量よりも増量することができる。この際、第一筒体３０が配設されていることにより、第二筒体４０に流入する加圧水の流れが整流されるため、第二流路４０ｃの流量をより好適に増量することができる。
【００３８】
（２）また、第一ノズル２０を第一筒体３０の軸心に沿うように配設しているため、第一ノズル２０から第一流路３０ｃの中心に向けて加圧水を噴射することができる。したがって、第一ノズル２０を第一流路３０ｃの端部のみに配設した場合よりも、強い勢いの流れを発生させることができる。また、この第一ノズル２０の配設箇所は、第一流路３０ｃの内部ではなく第一流路３０ｃから離れた箇所となるため、第一流路３０ｃに異物が詰まるおそれを低減することができる。
【００３９】
（３）また、第二流路４０ｃに第二ノズル４２ａ，ｂが配設されているため、第二ノズル４２，ｂが配設されていない場合と比較すると、第二流路４０ｃを流れる加圧水の流速をより速くすることができる。このため、第二流路４０ｃにより大きな負圧を発生させることができる。したがって、より多くの水を第二流路４０ｃに巻き込むことができるようになる。
【００４０】
（４）また、第二連通管４１が第二吸入口４０ａの全周にわたって形成されているため、第二連通管４１内に発生する圧力損失を低減することができる。
【００４１】
（５）また、本実施形態では、第一ノズル２０と第一噴射口３０ｂとの距離が７００〜８００ｍｍとなるように構成している。本実施形態における測定により、第一筒体３０の長さに関わらず、この距離が７００〜８００ｍｍであるときに、第一噴射口３０ｂからの噴射量をより好適に増量することができることが明らかになった。このため、本実施形態によれば、より効率よく加圧水を噴射することができるようになる。
【００４２】
（６）また、第一ノズル２０の内径と、第一筒体３０の内径の比が１：１０となるように形成しているため、第一筒体３０を流れる加圧水の流量をより好適に増量することができる。
【００４３】
（７）また、第二流路４０ｃおよび第二ノズル４２ａ，ｂの内径について、噴射量ａ１＋ａ２が流量Ａの２０分の１〜１０分の１となるように設定しているため、第二ノズル４２ａ，４２ｂから加圧水が噴射された際、第二流路４０ｃに大きな負圧を発生させることができる。
【００４４】
（その他の実施形態）
なお、この発明にかかる流体流動装置１は、上記実施形態にて例示した構成に限定されるものではなく、同実施の形態を適宜変更した例えば次のような形態として実施することもできる。また以下の各変形例は、上記実施形態についてのみ適用されるものではなく、異なる変形例同士を互いに組み合わせて実施することもできる。
【００４５】
・上記実施形態にかかる流体流動装置１は、第一筒体３０および第二筒体４０を備える構成としたが、本発明はこれに限られるものではない。例えば、図５に示すように、第一筒体３０の下流側であって第二筒体４０の上流側に第三筒体５０を配設してもよい。第三筒体５０は、第一筒体３０に臨む開口部を第三吸入口５０ａとし、第二筒体４０に臨む開口部を第三噴射口５０ｂとして備え、同第三筒体５０内部には加圧水が流れる第三流路５０ｃが形成されている。また、第三吸入口５０ａが第一噴射口３０ｂと第三所定距離Ｄ３だけ離間するように配設されるとともに、第三噴射口５０ｂが第二吸入口４０ａと第四所定距離Ｄ４だけ離間するように配設されている。
【００４６】
本変形例によれば、第一噴射口３０ｂから噴射された加圧水が第三吸入口５０ａに流入する際、周囲の水を巻き込む。また、第三噴射口５０ｂから噴射された加圧水が第二吸入口４０ａに流入する際も同様に周囲の水を巻き込む。このように、水を巻きこむ箇所が二カ所となるため、より多くの水を巻き込むことができる。したがって、より多くの水を第二噴射口４０ｂから噴射させることができる。
なお、第三所定距離Ｄ３は２００〜８００ｍｍの範囲にあるのが好ましく、３００〜６００ｍｍの範囲にあるのがより好ましい。また、第四所定距離Ｄ４は２００〜１２００ｍｍの範囲にあるのが好ましく、３００〜１０００ｍｍの範囲にあるのがより好ましい。
【００４７】
・図６に示すように、上記変形例において、第三流路５０ｃに第三ノズル５１ａ，ｂを配設してもよい。本変形例によれば、第三ノズル５１ａ，ｂから加圧水が噴射されることにより、第三流路５０ｃに負圧が発生するため、第二噴射口４０ｂから噴射された加圧水が第三吸入口５０ａに流入する際、より多くの水を巻き込むことができる。このため、より多くの加圧水を第二噴射口４０ｂから噴射させることができる。
【００４８】
・上記実施形態および各変形例では、タンク１１を備えるものとしたが、本発明はこれに限られるものではない。例えば、図７に示すように、タンク１１を省略し、ポンプ１０と第一連通管２１を直接連通させるとともに、ポンプ１０と第二連通管４１を直接連通させてもよい。
【００４９】
・図８に示すように、第一筒体３０の形状を所謂ベルマウス形状としてもよい。本変形例によれば、第一筒体３０に流入する水流が整流されるため、より多くの水を第一筒体３０に導入することができるようになる。
【００５０】
・図９に示すように、第二筒体４０に外套部４３を設けてもよい。同図９に示すように、外套部４３は、上流側から下流側にかけて外周が狭まるテーパ状に形成することが好ましい。本変形例によれば、第二筒体４０の周囲の流れに対する抵抗を低減することができる。
【００５１】
・上記実施形態および各変形例では、第二流路４０ｃに２本の第二ノズル４２ａ，４２ｂを配設したが、第二流路４０ｃに配設される第二ノズル４２の本数は２本に限られるものではなく、１本としてもよいし、３本以上としてもよい。
【００５２】
・第二連通管４１は第二吸入口４０ａの全周を覆うものでなくてもよく、タンク１１から第二ノズル４２ａ，ｂに水を適切に供給できるものであればよい。
【００５３】
・上記実施形態および各変形例では、流体流動装置１を水底に設置し、第一ノズル２０から水を噴射するようにしたが、本発明はこれに限られるものではなく、空気中に設置し、気体を噴射するようにしてもよい。例えば、工事現場等に設置し、第一ノズル２０から空気を噴射してもよい。本変形例によれば、工事現場等の空気を浄化することができる。
【符号の説明】
【００５４】
１…流体流動装置
１０…ポンプ
１１…タンク
２０…第一ノズル
２１…第一連通管
３０…第一筒体
３０ａ…第一吸入口
３０ｂ…第一噴射口
３０ｃ…第一流路
４０…第二筒体
４０ａ…第二吸入口
４０ｂ…第二噴射口
４０ｃ…第二流路
４１…第二連通管
４２ａ…第二ノズル
４２ｂ…第二ノズル
４３…外套部
５０…第三筒体
５０ａ…第三吸入口
５０ｂ…第三噴射口
５０ｃ…第三流路
５１ａ…第三ノズル
５２ｂ…第三ノズル
９０ａ…端部
９０ｂ…端部
９０ｃ…流路
９２ａ…ノズル
９２ｂ…ノズル
１００…流体流動装置
【図１】
0006518122.tif 000002
【図２】
0006518122.tif 000003
【図３】
0006518122.tif 000004
【図４】
0006518122.tif 000005
【図５】
0006518122.tif 000006
【図６】
0006518122.tif 000007
【図７】
0006518122.tif 000008
【図８】
0006518122.tif 000009
【図９】
0006518122.tif 000010
【図１０】
0006518122.tif 000011